(57)【要約】【課題】  利用者が、紙幣を出金し金額を確認したり、自分の財布に入れる際にいくつかの紙幣の上下を反転させる必要がないように紙幣の上下方向が揃った状態で紙幣を放出することが可能な紙幣処理装置を実現する。【解決手段】  紙幣の入出金を行う入出金部と、搬送された紙幣の搬送方向に対する表裏状態および上下方向を識別する紙幣識別部と、紙幣を収納する紙幣収納部と、それらを制御する制御部とを備え、出金取引を行なう場合、前記紙幣収納部から集積された紙幣を繰り出し、前記紙幣識別部により前記繰り出された紙幣の搬送方向に対する紙幣の表裏状態および上下方向を識別し、前記識別された紙幣の状態が予め定められた出金取引される紙幣の搬送方向に対する紙幣の表裏状態および上下方向と同一である場合、前記識別された紙幣を前記入出金部へ搬送すること、を特徴とする紙幣処理装置。【選択図】図２
2013149113.tif 000002
【特許請求の範囲】
【請求項１】
紙幣の入出金を行う入出金部と、
搬送された紙幣の搬送方向に対する表裏状態および上下方向を識別する紙幣識別部と、
紙幣を収納する紙幣収納部と、
それらを制御する制御部とを備え、
出金取引を行なう場合、前記紙幣収納部から集積された紙幣を繰り出し、
前記紙幣識別部により前記繰り出された紙幣の搬送方向に対する紙幣の表裏状態および上下方向を識別し、
前記識別された紙幣の状態が予め定められた出金取引される紙幣の搬送方向に対する紙幣の表裏状態および上下方向と同一である場合、前記識別された紙幣を前記入出金部へ搬送すること、を特徴とする紙幣処理装置。
【請求項２】
請求項１記載の紙幣処理装置であって、
入金取引または出金取引の際に、紙幣を一時的に保管する一時収納部を備え、
前記識別された紙幣が前記予め定められた出金取引される紙幣の搬送方向に対する紙幣の表裏状態および上下方向と同一ではない場合、前記一時収納部に収納され、前記紙幣収納部から他の紙幣が繰り出されること、を特徴とする紙幣処理装置。
【請求項３】
請求項２に記載の紙幣処理装置であって、
前記入出金部に搬送された紙幣が所定の枚数に達した場合、前記一時収納部に搬送された前記紙幣を前記紙幣収納部へ搬送すること、を特徴とする紙幣処理装置。
【請求項４】
請求項２記載の紙幣処理装置であって、
前記予め定められた出金取引される紙幣の搬送方向に対する紙幣の表裏状態および上下方向と同一の紙幣を所定枚数前記入出金部へ搬送が出来ない場合、前記一時収納部に収納された紙幣を前記入出金部へ繰り出し搬送すること、を特徴とする請求項２記載の紙幣処理装置。
【請求項５】
請求項３記載の紙幣処理装置であって、
紙幣の表裏を反転する紙幣反転機構を備え、
前記一時収納部から繰り出された紙幣を前記紙幣反転機構を通過させ、前記紙幣の搬送方向に対する紙幣の表裏状態または上下方向の少なくとも一つを揃えること、を特徴とする紙幣処理装置。
【請求項６】
請求項５記載の紙幣処理装置であって、
前記紙幣識別部で識別した識別結果情報を記憶する記憶部を備え、
前記記憶部に記憶された識別結果情報に基づき前記紙幣反転機構により反転させる紙幣を選択し、前記紙幣の表裏状態または上下方向の少なくとも一つを揃えること、を特徴とする請求項４記載の紙幣処理装置。
【請求項７】
請求項５記載の紙幣処理装置であって、
前記紙幣識別部で識別した識別結果情報を記憶する記憶部を備え、
利用者により出金取引が選択された場合、前記識別結果情報により前記紙幣収納部に収納される紙幣の搬送方向に対する表裏状態および上下方向に関する情報を取得し、
前記予め定められた出金取引される紙幣の表裏状態および上下方向を決定すること、を特徴とする紙幣処理装置。
【請求項８】
請求項７記載の紙幣処理装置であって、
出金する紙幣の枚数に応じて、前記紙幣収納部から繰り出される紙幣の総枚数が少なくなるように前記予め定められた出金取引される紙幣の表裏状態および上下方向を決定すること、を特徴とする紙幣処理装置。
【請求項９】
請求項１〜８記載の紙幣処理装置を備えること、を特徴とする自動取引装置。
【請求項１０】
請求項９記載の自動取引装置であって、
利用者に対して表示を行なう表示部を備え、
前記入出金部に出金される紙幣の搬送方向に対する表裏状態または上下方向を前記表示部に表示すること、を特徴とする自動取引装置。
【発明の詳細な説明】
【技術分野】
【０００１】
本発明は、紙幣処理装置および自動取引装置に関する。
【背景技術】
【０００２】
近年、銀行等の金融機関においては顧客が入金した紙幣を別の顧客に出金する還流式の紙幣処理装置を搭載した自動取引装置が広く使用されている。しかしながら従来の紙幣処理装置では、入金取引をする顧客は紙幣の方向を意識することがないため、顧客が投入した紙幣が整列されずにそのまま紙幣収納部に収納され、別の顧客に紙幣を出金する際に紙幣の表裏のみを揃えて放出している。
【０００３】
また、本発明の背景技術として、特開平９−８１８２９号公報がある。この公報には、「入金時には紙幣の上下方向により異なる金種別収納庫に取込み、出金時には一方の金種別収納庫より一取引金額分の紙幣を繰り出して、表裏反転のみを行なうこと。また、表裏反転機能の他に上下反転機能を付加する。」という記載されている。
【先行技術文献】
【特許文献】
【０００４】
【特許文献１】特開平９−８１８２９号公報
【発明の概要】
【発明が解決しようとする課題】
【０００５】
従来の紙幣処理装置および自動取引装置では紙幣の上下を揃えて放出する機能はないため、紙幣を出金した利用者は金額を確認したり、自分の財布に入れる際にいくつかの紙幣の上下を反転させて方向を揃える必要があった。例えば特許文献１のように紙幣処理装置に上下反転機構を付加して紙幣の上下を揃えて放出する装置が提案されているが、上下反転機構は紙幣を１８０度水平方向に回転させる必要があるため紙幣が折れ曲がることにより詰まる問題や上下反転機構自体を設けることにより装置自体が大きく、高価になるという課題があった。
【０００６】
本発明の目的は、新たな上下反転機構を設けることなく紙幣を一方向に揃えて放出し、利用者にとって使いやすい紙幣処理装置および自動取引装置を提供する。
【課題を解決するための手段】
【０００７】
上記課題を解決するために、本願は解決手段を複数含んでいるが、例えば特許請求の範囲に記載の構成を採用する。その一例を挙げるならば、紙幣の入出金を行う入出金部と、搬送された紙幣の搬送方向に対する表裏状態および上下方向を識別する紙幣識別部と、紙幣を収納する紙幣収納部と、それらを制御する制御部とを備え、出金取引を行なう場合、前記紙幣収納部から集積された紙幣を繰り出し、前記紙幣識別部により前記繰り出された紙幣の搬送方向に対する紙幣の表裏状態および上下方向を識別し、前記識別された紙幣の状態が予め定められた出金取引される紙幣の搬送方向に対する紙幣の表裏状態および上下方向と同一である場合、前記識別された紙幣を前記入出金部へ搬送する構成を有する紙幣処理装置である。
【発明の効果】
【０００８】
本発明によれば、特別な反転機構を設けることなく、紙幣の方向を識別してその識別結果を基に集積、分離することで方向の揃った紙幣を放出することが可能な紙幣処理装置および自動取引装置を提供することができる。
【０００９】
上記した以外の課題、構成及び効果は、以下の実施形態の説明により明らかにされる。
【図面の簡単な説明】
【００１０】
【図１】紙幣処理装置の構成図である。
【図２】出金紙幣を一方向に揃えて放出する場合の説明図である。
【図３】紙幣収納部に収納する際に紙幣を反転させる場合の説明図である。
【図４（ａ）】紙幣反転機構を通過するが紙幣を反転させない場合の紙幣の動作の説明図である。
【図４（ｂ）】紙幣反転機構を用いて紙幣を反転させる場合の紙幣の動作の説明図である。
【図５】紙幣処理装置のブロック図である。
【図６】自動取引装置の外観図である。
【図７】出金紙幣を一方向に揃えて放出する紙幣繰り出し処理フロー図である。
【図８】一時収納部の紙幣を反転させる場合の紙幣繰り出し処理フロー図である。
【図９】紙幣収納部の紙幣の向きを記憶したメモリの内容を示す図である。
【図１０】自動取引装置の画面の表示図である。
【図１１】自動取引装置の画面の表示図である。
【図１２】搬送方向に対する紙幣の種類を説明する図である。
【発明を実施するための形態】
【００１１】
以下、実施例を図面を用いて説明する。
【実施例１】
【００１２】
図１は本発明の実施形態にかかる紙幣処理装置１００を示す図である。この図１において、１は利用者から紙幣を受け付け、または利用者へ紙幣を受け取らせる入出金部、２は紙幣の金種、真偽、種類、表裏・上下状態を判別する紙幣識別部、３は紙幣を一時的に保管する一時収納部、４、５、６は紙幣を収納する紙幣収納部、７はリジェクト紙幣を収納するためのリジェクト回収庫、８は紙幣の装填や回収に使用するための装填回収カセット、９は紙幣処理装置内の紙幣を搬送する搬送路、１０は紙幣を反転させる紙幣反転部、１１は入出金部１に備えられたシャッターである。
【００１３】
図１の紙幣処理装置１００を用いて紙幣の入出金取引の動作概要について説明する。
入金取引をする場合は投入された入出金部１の紙幣を繰り出して、紙幣識別部２を通して判別を行う。正しく識別できた紙幣は一時収納部３に収納し、識別できなかった紙幣は入出金部１に返却する。入金取引が成立すれば一時収納部３に収納された紙幣を紙幣識別部２を通して判別し、各金種に対応する紙幣収納部４、５、６に搬送して収納する。
【００１４】
出金取引をする場合は紙幣収納部４、５、６から紙幣を繰り出して、紙幣識別部２を通して判別を行う。その際、一方向に揃った紙幣を入出金部１に収納し、揃わない紙幣は一時収納部３に収納する。必要枚数の紙幣を入出金部１に収納した場合、シャッター１１を開いて顧客は紙幣を受け取ることができる。その後、一時収納部３の紙幣は紙幣収納部４、５、６に収納する。その際に方向の揃わない一部の紙幣を紙幣反転部１０を通して紙幣収納部に収納する。
【００１５】
図２は、本実施例における出金紙幣を一方向に揃えて放出する場合の説明図である。図２を用いて紙幣処理装置１００内部の各部位における出金紙幣の振り分け方法について以下に説明する。
【００１６】
紙幣収納部４に収納されている紙幣は上下表裏方向の違いにより、２Ａ（上表）、２Ｂ（上裏）、２Ｃ（下表）、２Ｄ（下裏）の４種類の方向がある。紙幣の方向について図１２を用いて説明する。搬送方向に対して、紙幣の文字が読める方向に搬送をされる紙幣１２０１を２Ａ（上表）とする。搬送方向に対して、紙幣が反転し裏面の図柄が読める方向に搬送をされる紙幣１２０２を２Ｂ（裏表）とする。搬送方向に対して、紙幣の文字が逆さ方向に搬送をされる紙幣１２０３を２Ｃ（下表）とする。搬送方向に対して、紙幣が反転し、図柄が逆さ方向に搬送をされる紙幣１２０４を２Ｄ（下裏）とする。
【００１７】
なお、本実施例では、紙幣の方向を２Ａ（上表）の一方向のみに揃えて放出するとし、紙幣収納部４から１種類の紙幣を放出する場合について説明を行うが、これに限定されず、複数種類の紙幣（方向、金種）に対しても同様に本実施例を適用できることは言うまでも無い。
【００１８】
利用者から出金要求があると紙幣収納部４から紙幣を繰り出して紙幣識別部２により判別を行う。このとき、２Ａ（上表）方向の紙幣のみを入出金部１に搬送することで利用者は２Ａ（上表）方向に揃った紙幣を受け取ることができる。また、２Ａ（上表）以外の方向の紙幣は一時収納部３に収納され、出金取引の終了後に一時収納部３から繰り出され、再度、紙幣収納部４に収納される。
【００１９】
図３は、本実施例における一時収納部３の紙幣を紙幣収納部４に収納する際に紙幣を反転させる場合についての説明図である。図３を用いて紙幣処理装置１００内部の収納部（紙幣収納部４〜６）に収納する際の紙幣の反転方法について以下に説明する。
【００２０】
一時収納部３に収納されている紙幣の方向は、２Ｂ（上裏）、２Ｃ（下表）、２Ｄ（下裏）の３方向もしくは識別できなかった方向不明ものである。このうち、２Ｃ（下表）および２Ｄ（下裏）の紙幣について紙幣反転部１０を通して反転させることで、紙幣収納部４に戻す紙幣は２Ａ（上表）または２Ｂ（上裏）もしくは方向不明の何れかになる。
【００２１】
次に、紙幣反転部１０を通過する際の紙幣２Ａ〜２Ｄの動作について図４を用いて説明する。図４は、紙幣反転部１０を用いて紙幣を反転させる場合の説明図である。図４を用いて紙幣反転部１０を用いて紙幣を反転させる紙幣の反転方法について以下に説明する。
【００２２】
図４（ａ）は紙幣を反転させない場合の搬送経路であり、搬送方向に対して紙幣の向きは変化しない。従って、図４（ａ）に示すように、紙幣反転部１０に搬送された紙幣（２Ａ、２Ｂ）は紙幣反転部１０の搬送路をＳ字に搬送されることで、紙幣反転部１０に搬送されたときと同じ方向で紙幣収納部４へ搬出される。
【００２３】
図４（ｂ）は紙幣を反転させる場合の搬送路を示した図である。紙幣反転部１０に搬送された紙幣（２Ｃ、２Ｄ）は、一度紙幣反転部１０の奥まで搬送される。その後、紙幣をスイッチバックして搬送し、紙幣反転部１０の搬送路をＵ字に搬送し、紙幣反転部１０から搬出する。このように搬送することで、例えば搬送方向に対して、２Ｃ（下表）の紙幣は２Ｂ（上裏）に、２Ｄ（下裏）の紙幣は２Ａ（上表）に反転させることができる。
【００２４】
図５は、紙幣処理装置１００のブロック図である。図５を用いて紙幣処理装置１００の内部構成について以下に説明する。この図において５００は制御部、５０１は種々の情報を記憶するメモリ、５０２はメモリ５０１内の識別結果を記憶する記憶領域、５０３は紙幣の搬送などの制御情報の記憶を行なう記憶領域、５０４は紙幣を搬送する紙幣搬送部、５０５は上位制御部５０６と紙幣処理装置１００との通信を行なう通信部、５０６は紙幣処理装置１００にさまざまな指令を出す上位制御部である。
【００２５】
紙幣識別部２により紙幣の方向を読み取った紙幣識別結果はメモリ５０１の識別結果記憶領域５０２に記憶しておく。紙幣収納部４や一時収納部３に収納された紙幣の紙幣識別結果を紙幣の集積順に記憶しておけば紙幣の方向を揃えるための制御情報として使用することができる。紙幣識別結果情報を使用する具体例は後述する図９を用いて説明する。
【００２６】
図６は、本実施形態にかかる自動取引装置６０１を示す図である。図６を用いて自動取引装置６０１の概略構成について以下に説明する。
【００２７】
この図において自動取引装置６０１は上記した紙幣処理装置１００、硬貨の入出金処理を行なう硬貨処理装置６０２、例えばタッチパネル等で構成され、利用者に対して表示を行い利用者からの操作入力を受け付ける表示・操作部６０３、カードの入排出と明細票の排出を行なうカード／明細票処理部６０４、通帳の処理を行なう通帳処理部６０５、各部を制御する制御部６０６で構成されている。
【００２８】
なお、これら全ての構成は必須構成要素ではない。例えば、自動取引装置６０１は硬貨処理装置６０２を除いた構成であってもよい。
【００２９】
図７は、図２で説明した出金紙幣を一方向に揃えて放出する場合の紙幣繰り出し処理についての処理フロー図である。図７を用いて必要枚数の紙幣を一方向に揃えて放出する処理フローについて説明する。
【００３０】
まず、紙幣収納部４から紙幣を繰り出し（Ｓ７０１）、紙幣識別部２を通して搬送方向に対する紙幣の上下、表裏の方向を判別する（Ｓ７０２）。識別結果を判定し（Ｓ７０３）、紙幣の方向が２Ａ（上表）と判定した場合は、紙幣を入出金部１に搬送する（Ｓ７０４）。紙幣の方向が２Ａ（上表）以外と判定した場合は、紙幣を一時収納部３に搬送する（Ｓ７０５）。入出金部１に収納した紙幣が必要枚数に達したかどうかを判定し（Ｓ７０６）、必要枚数に達していない場合、または、Ｓ７０５で紙幣を一時収納部３に搬送した場合は、Ｓ７０１からの処理を繰り返す。入出金部１に収納した紙幣が必要枚数に達した場合は、入出金部のシャッター１１を開いて入出金部１の紙幣を放出する（Ｓ７０７）。
【００３１】
これにより、利用者は一方向に揃った紙幣を必要枚数受け取ることができる。一時収納部３に収納された紙幣があれば、一時収納部３の紙幣を繰り出して紙幣収納部４に収納する（Ｓ７０８）。
【００３２】
入出金部１に収納した紙幣が必要枚数に達する前に紙幣収納部４の紙幣が無くなる可能性も考えられる。その場合は、紙幣の向きを一方向に揃えることを中止し、不足する枚数の紙幣を紙幣一時収納部３から繰り出して入出金部１へ放出すれば利用者は要求した枚数の紙幣を受け取ることができる。
【００３３】
図８は、図３で説明した一時収納部３の紙幣を紙幣収納部４に戻す際に紙幣を反転させる場合の紙幣繰り出し処理についての処理フロー図である。図８を用いて一時収納部３の紙幣繰り出しの処理について説明する。
【００３４】
まず、一時収納部３に紙幣が存在するかを確認し（Ｓ８０１）、紙幣が存在すれば、一時収納部３から紙幣を繰り出す（Ｓ８０２）。メモリ５０１内に記憶している紙幣の向きにより、紙幣の向きが２Ｃ（下表）または２Ｄ（下裏）であれば紙幣を紙幣反転部１０に搬送して反転させる（Ｓ８０４）。反転の有無に関係なく、搬送するすべての紙幣を紙幣収納部４に収納し（Ｓ８０５）、Ｓ８０１からの処理を繰り返す。一時収納部３に収納された紙幣が無くなれば処理を終了する。
【００３５】
本実施例では上述のような構成としたので、従来機能である表裏を整列する表裏反転機能、および上下を反転させる上下反転機能を設けたメカ機構を使用すること無しに、搬送されてきた紙幣の表裏、及び上下方向を識別し、各々分離、収納することで一方向に揃った紙幣を利用者に出金することができる。また、方向違いで出金しなかった紙幣を元の紙幣収納部４に戻し、再度出金に使用することができる。さらに、方向違いで出金しなかった紙幣を元の紙幣収納部４に戻す際に、表裏，上下方向の少なくとも一つを揃えることにより、効率よく出金に使用することができる。
【００３６】
また、方向違いで出金しなかった紙幣を元の紙幣収納部４に戻す際に記憶していた識別結果情報を利用することによりあらためて識別をしなおすことなく紙幣の表裏，上下方向のうち少なくとも一つを揃えることができる。さらに、紙幣の表裏，上下方向の少なくとも一つを所定枚数揃えることが出来なくなった場合に、一時収納部３に振り分け搬送された紙幣を入出金部１へ繰り出し搬送する構成としたので紙幣の方向が揃えられない場合でも顧客の要求した金額の出金ができる。
【実施例２】
【００３７】
今までの実施例では、紙幣を揃える向きを２Ａ（上表）の一方向と限定して説明したが、次に紙幣を揃える向きを２Ａ（上表）または２Ｂ（上裏）のいづれかの一方向で揃えるとした場合の実施例について説明する。利用者にとって紙幣の向きは一方向に揃っていればよいため、例えば、紙幣を揃える方向を出金取引ごとに交互に２Ａ（上表）または２Ｂ（上裏）とすると紙幣収納部４〜６に収納されている残りの紙幣の方向と出金時に揃える紙幣の方向が均等になり、出金時に揃える方向と一致せず一時収納部３に搬送する紙幣が減少し、効率よく出金することができる。
【００３８】
また、図３および図５に示すとおりに一時収納部３の紙幣を紙幣収納部４に収納した場合、紙幣処理装置１００は紙幣収納部４に収納された紙幣の向きをメモリ５０１に記憶することができる。そのため、次回に出金要求があった場合にメモリ５０１に記憶した紙幣の向きをもとに出金要求枚数に応じて揃える紙幣の向きが最適になるように決定することで効率よく紙幣の向きを揃えて出金することができる。
【００３９】
図９は、紙幣収納部４の紙幣の向きを記憶したメモリ５０１の例である。図９を用いて紙幣収納部４の紙幣の向きを記憶したメモリ５０１の内部構成について以下に説明する。
紙幣収納部４に収納される紙幣は紙幣収納部４の上部から集積され、紙幣収納部４から繰り出される紙幣は紙幣収納部４の上部から繰り出される。図９に示すメモリ５０１の内部構成では、上側が紙幣収納部４の上部、下側が紙幣収納部４の下部に収納されている紙幣の情報を表している。この例では、出金時に揃える方向と一致しなかったため一時収納３に収納された後、紙幣収納部４に戻ってきた紙幣が７枚あり、次回に繰り出す順番に１から７枚目までの紙幣の向きが記憶されており、８枚目以降の紙幣の向きは不明となっている。ｎは紙幣収納部の紙幣の総枚数である。
【００４０】
次に図９の例を用いて出金要求枚数が２枚および５枚であった場合の最適な紙幣の向きを決定する方法について説明する。
まず、図９の例で２枚の出金要求がある場合について説明する。揃える紙幣の方向を２Ｂ（上裏）とすれば繰り出す紙幣の総枚数は３枚となり、揃える紙幣の方向を２Ａ（上表）とした場合の総繰り出し枚数４枚より１枚少なくなる。必要枚数を揃えるまでの処理時間が速くなる事や、搬送に伴い紙幣づまりが発生する確率が下がるなどの理由により紙幣の搬送枚数は少ないほうがよい。そのため、この場合は紙幣を揃える方向を２Ｂ（上裏）と決定すればよい。
【００４１】
次に図９の例で５枚の出金要求がある場合について説明する。揃える紙幣の方向を２Ａ（上表）とすれば繰り出す紙幣の総枚数は７枚となる。揃える方向を２Ｂ（上裏）とした場合は、メモリに記憶している７枚の紙幣のなかには２Ｂ（上裏）紙幣は２枚しか存在せず、８枚目以降の紙幣を最低でも３枚繰り出す必要があり、繰り出す紙幣の総枚数は１０枚となる。そのため紙幣の総繰出し枚数が少なくなるよう、この場合は紙幣を揃える方向を２Ａ（上表）と決定すればよい。
【００４２】
図１０、図１１は、利用者に出金する紙幣の方向を２Ａ（上表）または２Ｂ（上裏）方向に揃えるとした場合に自動取引装置６００の表示・操作部６０３に表示する画面の例である。図１０は、紙幣の方向を２Ａ（上表）に揃えて出金した場合に利用者に表示する現金放出画面の表示例である。図１１は、紙幣の方向を２Ｂ（上裏）に揃えて出金した場合に利用者に表示する現金放出画面の表示例である。
【００４３】
このように表示することで利用者は、あらかじめ受け取る紙幣の向きを知ることができ、受け取った後に紙幣の枚数を確認したり、財布に入れる際に利用者の使い勝手がよい自動取引装置となる。
［変形例］
これまでの実施例では比較的少数枚数の出金について説明してきたが、要求される枚数が多数になる場合の実施例について説明する。
【００４４】
例えば、出金要求枚数が１００枚であった場合は、すべての紙幣の方向を揃えることが可能かどうか不明であるため、処理時間が遅くならないことを優先して紙幣の向きは揃えないとし、従来の方法で出金するとしてもよい。逆に出金要求枚数が１００枚と多数であっても紙幣処理装置１００のメモリ５０１に紙幣収納部４の識別結果が記憶されており、一方向の紙幣の向きが１００枚以上存在する場合は紙幣の向きを揃えて出金することも可能である。
【００４５】
また、例えば出金要求枚数が２０枚で紙幣収納部４の総枚数ｎが１０００枚の場合に図７の処理フローどおりに処理を実施すると紙幣の向きが揃わなかった場合は、紙幣収納部４のすべての紙幣を繰り出すことになり、最大１０００枚の紙幣を繰り出すことになり処理時間が遅くなる問題がある。この場合は処理時間を考慮して出金の一取引時に紙幣収納部４から繰り出す最大枚数を設定しておき、紙幣収納部４からの繰り出しが可能であっても紙幣の向きを揃えることを中止して必要枚数を出金すればよい。
【００４６】
また、これまでの実施例では一時収納部３に紙幣を収納することを述べたが、装填回収庫８に紙幣を一時的に収納するという構成としてもよい。例えば、出金要求枚数が多いなど一時収納部に紙幣を収納しきれず、出金紙幣を一方向に揃えられないという場合に装填回収庫８を用いることで、その問題が解決できる。
【００４７】
また、これまでの実施例では紙幣の金種については説明していないが、金種が複数にわたる場合においても紙幣の向きを揃えるようにしてもよい。例えば、１万５千円の出金取引で１万円札１枚と千円札５枚を出金する場合においては１万円札１枚を２Ａ（上表）とし、千円札５枚を２Ａ（上表）に揃えて出金すれば、利用者は１万円札および千円札の紙幣の向きを反転させることなく金額の確認し、そのまま自分の財布に入れることができる。図７に記載した処理フローによって、搬送されてきた紙幣の向きを識別し、向きが同一の紙幣毎に集積かつ収納することで、同じ向きの紙幣を一括して装置外部へ放出することが可能となる。なお、出金する金種ごとに行なうことで、金種ごとに分類して紙幣の向きを揃える事が可能となる。
【００４８】
また、これまでの実施例では、出金取引の際に一時収納部３に収納された紙幣の方向を揃える処理を行なうことについて説明したが、入金処理の際にその処理行なってもよい。例えば、入金時に紙幣識別部２により識別した紙幣を一時収納部３に収納し、取引が確定した後に紙幣収納部４〜６に収納する際に、一時収納部３から繰出す紙幣（２Ａ〜２Ｄに分類される）の反転し収納するようにしてもよい。この様に構成することで、出金の際に利用者に放出する紙幣を容易に設定できる。また、予め紙幣収納部に収納されている紙幣について方向（２Ａ〜２Ｄ）等をメモリ５０１に予め設定しても同様の効果を発揮する。
【００４９】
本発明では従来技術のように、表裏を整列する表裏反転機能、および上下を反転させる上下反転機能を設けたメカ機構、メカ制御を必要としないことから、それらの機構、制御機能から生じる障害が減少することが想定できる。また、それらの複雑な機構が不要となることから、コスト的も安価で実現できる。ここでは、紙幣の向きとして、紙幣の表裏、及び上下方向を示し、それらの一つの整列要素を揃える制御フローを一実施例として説明したが、表裏、および上下方向両方を整理する制御フローであっても問題ない。
【００５０】
さらに、入出金部１へ搬送されてきた紙幣のみを放出する制御フローに限定されるものでなく、例えば一時収納部３へ収納された紙幣を、入出金部１の紙幣を放出した後に引き続いて放出することで、放出した紙幣を２つの方向に整列する制御構成であっても問題ない。放出された紙幣が意図的に整列されている構成であれば、全て本発明に属するものである。
【００５１】
なお、本発明は上記した実施例および変形例に限定されるものではない。例えば、上記した実施例・変形例は本発明を分かりやすく説明するために詳細に説明したものであり、必ずしも説明した全ての構成を備えるものに限定されるものではない。また、ある実施例の構成の一部を他の実施例の構成に置き換えることも可能であり、他の実施例の構成を加えることも可能である。
【００５２】
また、上記の各構成、機能、各処理部、処理手段等は、それらの一部または全部を例えば集積回路で設計する等によりハードウェアで実現してもよい。また上記各構成、機能等は、プロセッサがそれぞれの機能を実現するプログラムを解釈し、実行することによりソフトウェアで実現してもよい。
【符号の説明】
【００５３】
１…入出金部、２…紙幣識別部、３…一時収納部、４〜６…紙幣収納部、７リジェクト回収庫、８…装填回収カセット、９…搬送路、１０…紙幣反転部、１１…シャッター、１００…紙幣処理装置、５００…制御部、５０１…メモリ、５０２…識別結果記憶領域、５０３…紙幣制御情報記憶領域、５０４…紙幣搬送部、５０５…通信部、５０６…上位制御部、６０１…自動取引装置、６０２…硬貨処理部、６０３…表示・操作部、６０４…カード／明細票処理部、６０５…通帳処理部、６０６…制御部
【図１】
2013149113.tif 000003
【図２】
2013149113.tif 000004
【図３】
2013149113.tif 000005
【図４（ａ）】
2013149113.tif 000006
【図４（ｂ）】
2013149113.tif 000007
【図５】
2013149113.tif 000008
【図６】
2013149113.tif 000009
【図７】
2013149113.tif 000010
【図８】
2013149113.tif 000011
【図９】
2013149113.tif 000012
【図１０】
2013149113.tif 000013
【図１１】
2013149113.tif 000014
【図１２】
2013149113.tif 000015